【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
複数の通信相手の情報を入力する入力手段と、
前記入力手段により入力された通信相手との間に、通信路が生成されているか否かを判断する判断手段と、
前記判断手段により、通信路が生成されていないと判断された通信相手に対して通信路を生成する生成手段と、
前記通信路を用いてデータの受信を行う受信手段と、
前記判断手段の判断に基づく前記生成手段による通信路の生成処理を繰り返し行わせる繰り返し手段と
を備えることを特徴とする情報受信装置。
【請求項２】
前記生成手段は、前記通信路を動的に生成または切断する
ことを特徴とする請求項１に記載の情報受信装置。
【請求項３】
前記生成手段は経路情報を有し、前記経路情報を用いて通信路を生成する
ことを特徴とする請求項１に記載の情報受信装置。
【請求項４】
前記生成手段は、ASPを用いて、AMInetによる通信路を生成する
ことを特徴とする請求項１に記載の情報受信装置。
【請求項５】
前記通信路を介して受信されるデータは、非圧縮のデータである
ことを特徴とする請求項１に記載の情報受信装置。
【請求項６】
前記受信手段により受信した音声データをミキシングして出力するミキシング出力手段
をさらに備えることを特徴とする請求項１に記載の情報受信装置。
【請求項７】
複数の通信相手の情報を入力する入力ステップと、
前記入力ステップで入力された通信相手との間に、通信路が生成されているか否かを判断する判断ステップと、
前記判断ステップで、通信路が生成されていないと判断された通信相手に対して通信路を生成する生成ステップと、
前記通信路を用いてデータの受信を行う受信ステップと、
前記判断ステップの判断に基づく前記生成ステップによる通信路の生成処理を繰り返し行わせる繰り返しステップと
を含むことを特徴とする情報受信方法。
【請求項８】
複数の通信相手の情報を入力する入力ステップと、
前記入力ステップで入力された通信相手との間に、通信路が生成されているか否かを判断する判断ステップと、
前記判断ステップで、通信路が生成されていないと判断された通信相手に対して通信路を生成する生成ステップと、
前記通信路を用いてデータの受信を行う受信ステップと、
前記判断ステップの判断に基づく前記生成ステップによる通信路の生成処理を繰り返し行わせる繰り返しステップと
を含む処理を実行させるコンピュータが読み取り可能なプログラムを提供することを特徴とする提供媒体。
【請求項９】
予め設定された通信相手に対して通信路を生成する第１の生成手段と、
前記通信相手との間に通信路が存在するか否かを判断する判断手段と、
前記判断手段により通信路が存在していないと判断された場合、その通信路が存在していない通信相手に対して通信路を生成する第２の生成手段と、
前記第１の生成手段または第２の生成手段により生成された通信路を用いてデータを送信する送信手段と、
前記判断手段の判断に基づく前記第２の生成手段による通信路の生成処理を繰り返し行わせる繰り返し手段と
を備えることを特徴とする情報送信装置。
【請求項１０】
前記送信手段は、前記通信相手の数により、１通信相手に対して割り当てられる画像サイズを計算し、その計算された画像サイズに応じて画像データのパケットを生成し、送信する
ことを特徴とする請求項９に記載の情報送信装置。
【請求項１１】
予め設定された通信相手に対して通信路を生成する第１の生成ステップと、
前記通信相手との間に通信路が存在するか否かを判断する判断ステップと、
前記判断ステップで通信路が存在していないと判断された場合、その通信路が存在していない通信相手に対して通信路を生成する第２の生成ステップと、
前記第１の生成ステップまたは第２の生成ステップで生成された通信路を用いてデータを送信する送信ステップと、
前記判断ステップの判断に基づく前記第２の生成ステップによる通信路の生成処理を繰り返し行わせる繰り返しステップと
を含むことを特徴とする情報送信方法。
【請求項１２】
予め設定された通信相手に対して通信路を生成する第１の生成ステップと、
前記通信相手との間に通信路が存在するか否かを判断する判断ステップと、
前記判断ステップで通信路が存在していないと判断された場合、その通信路が存在していない通信相手に対して通信路を生成する第２の生成ステップと、
前記第１の生成ステップまたは第２の生成ステップで生成された通信路を用いてデータを送信する送信ステップと、
前記判断ステップの判断に基づく前記第２の生成ステップによる通信路の生成処理を繰り返し行わせる繰り返しステップと
を含む処理を実行させるコンピュータが読み取り可能なプログラムを提供することを特徴とする提供媒体。
【請求項１３】
予め設定された通信相手と通信路を生成する第１の生成手段と、
前記通信路を用いてデータを送受信する送受信手段と、
前記設定された全ての通信相手との間に通信路が存在しているか否かを判断する判断手段と、
前記判断手段により通信路が存在していないと判断した場合、新たに通信路を生成する第２の生成手段と
を備えることを特徴とする情報送受信装置。
【請求項１４】
前記第１の生成手段または第２の生成手段は、前記予め設定された通信相手との間で、ASPを用いてAMInetにおいて通信路を生成する
ことを特徴とする請求項１３に記載の情報送受信装置。
【請求項１５】
予め設定された通信相手と通信路を生成する第１の生成ステップと、
前記通信路を用いてデータを送受信する送受信ステップと、
前記通信路が存在している間、前記設定された全ての通信相手との間に通信路が存在しているか否かを判断する判断ステップと、
前記判断ステップで通信路が存在していないと判断した場合、新たに通信路を生成する第２の生成ステップと
を含むことを特徴とする情報送受信方法。
【請求項１６】
予め設定された通信相手と通信路を生成する第１の生成ステップと、
前記通信路を用いてデータを送受信する送受信ステップと、
前記通信路が存在している間、前記設定された全ての通信相手との間に通信路が存在しているか否かを判断する判断ステップと、
前記判断ステップで通信路が存在していないと判断した場合、新たに通信路を生成する第２の生成ステップと
を含む処理を実行させるコンピュータが読み取り可能なプログラムを提供することを特徴とする提供媒体。
【手続補正２】
【補正対象書類名】明細書
【補正対象項目名】０００６
【補正方法】変更
【補正の内容】
【０００６】
【課題を解決するための手段】
本発明の情報受信装置は、複数の通信相手の情報を入力する入力手段と、入力手段により入力された通信相手との間に、通信路が生成されているか否かを判断する判断手段と、判断手段により、通信路が生成されていないと判断された通信相手に対して通信路を生成する生成手段と、通信路を用いてデータの受信を行う受信手段と、判断手段の判断に基づいて生成手段による通信路の生成処理を繰り返し行わせる繰り返し手段とを備えることを特徴とする。
【手続補正３】
【補正対象書類名】明細書
【補正対象項目名】０００７
【補正方法】変更
【補正の内容】
【０００７】
本発明の情報受信方法は、複数の通信相手の情報を入力する入力ステップと、入力ステップで入力された通信相手との間に、通信路が生成されているか否かを判断する判断ステップと、判断ステップで、通信路が生成されていないと判断された通信相手に対して通信路を生成する生成ステップと、通信路を用いてデータの受信を行う受信ステップと、判断ステップの判断に基づく生成ステップによる通信路の生成処理を繰り返し行わせる繰り返しステップとを備えることを特徴とする。
【手続補正４】
【補正対象書類名】明細書
【補正対象項目名】０００８
【補正方法】変更
【補正の内容】
【０００８】
本発明の第１の提供媒体は、複数の通信相手の情報を入力する入力ステップと、入力ステップで入力された通信相手との間に、通信路が生成されているか否かを判断する判断ステップと、判断ステップで、通信路が生成されていないと判断された通信相手に対して通信路を生成する生成ステップと、通信路を用いてデータの受信を行う受信ステップと、判断ステップの判断に基づき生成ステップによる通信路の生成処理を繰り返し行わせる繰り返しステップとを含む処理を実行させるコンピュータが読み取り可能なプログラムを提供することを特徴とする。
【手続補正５】
【補正対象書類名】明細書
【補正対象項目名】０００９
【補正方法】変更
【補正の内容】
【０００９】
本発明の情報送信装置は、予め設定された通信相手に対して通信路を生成する第１の生成手段と、通信相手との間に通信路が存在するか否かを判断する判断手段と、判断手段により通信路が存在していないと判断された場合、その通信路が存在していない通信相手に対して通信路を生成する第２の生成手段と、第１の生成手段または第２の生成手段により生成された通信路を用いてデータを送信する送信手段と、判断手段の判断に基づく第２の生成手段による通信路の生成処理を繰り返し行わせる繰り返し手段とを備えることを特徴とする。
【手続補正６】
【補正対象書類名】明細書
【補正対象項目名】００１０
【補正方法】変更
【補正の内容】
【００１０】
本発明の情報送信方法は、予め設定された通信相手に対して通信路を生成する第１の生成ステップと、通信相手との間に通信路が存在するか否かを判断する判断ステップと、判断ステップで通信路が存在していないと判断された場合、その通信路が存在していない通信相手に対して通信路を生成する第２の生成ステップと、第１の生成ステップまたは第２の生成ステップで生成された通信路を用いてデータを送信する送信ステップと、判断ステップの判断に基づく第２の生成ステップによる通信路の生成処理を繰り返し行わせる繰り返しステップとを含むことを特徴とする。
【手続補正７】
【補正対象書類名】明細書
【補正対象項目名】００１１
【補正方法】変更
【補正の内容】
【００１１】
本発明の第２の提供媒体は、予め設定された通信相手に対して通信路を生成する第１の生成ステップと、通信相手との間に通信路が存在するか否かを判断する判断ステップと、判断ステップで通信路が存在していないと判断された場合、その通信路が存在していない通信相手に対して通信路を生成する第２の生成ステップと、第１の生成ステップまたは第２の生成ステップで生成された通信路を用いてデータを送信する送信ステップと、判断ステップの判断に基づく第２の生成ステップによる通信路の生成処理を繰り返し行わせる繰り返しステップとを含む処理を実行させるコンピュータが読み取り可能なプログラムを提供することを特徴とする。
【手続補正８】
【補正対象書類名】明細書
【補正対象項目名】００１２
【補正方法】変更
【補正の内容】
【００１２】
本発明の情報送受信装置は、予め設定された通信相手と通信路を生成する第１の生成手段と、通信路を用いてデータを送受信する送受信手段と、通信路が存在している間、設定された全ての通信相手との間に通信路が存在しているか否かを判断する判断手段と、判断手段により通信路が存在していないと判断した場合、新たに通信路を生成する第２の生成手段とを備えることを特徴とする。
【手続補正９】
【補正対象書類名】明細書
【補正対象項目名】００１３
【補正方法】変更
【補正の内容】
【００１３】
本発明の情報送受信方法は、予め設定された通信相手と通信路を生成する第１の生成ステップと、通信路を用いてデータを送受信する送受信ステップと、通信路が存在している間、設定された全ての通信相手との間に通信路が存在しているか否かを判断する判断ステップと、判断ステップで通信路が存在していないと判断した場合、新たに通信路を生成する第２の生成ステップとを含むことを特徴とする。
【手続補正１０】
【補正対象書類名】明細書
【補正対象項目名】００１４
【補正方法】変更
【補正の内容】
【００１４】
本発明の第３の提供媒体は、予め設定された通信相手と通信路を生成する第１の生成ステップと、通信路を用いてデータを送受信する送受信ステップと、通信路が存在している間、設定された全ての通信相手との間に通信路が存在しているか否かを判断する判断ステップと、判断ステップで通信路が存在していないと判断した場合、新たに通信路を生成する第２の生成ステップとを含む処理を実行させるコンピュータが読み取り可能なプログラムを提供することを特徴とする。
【手続補正１１】
【補正対象書類名】明細書
【補正対象項目名】００１５
【補正方法】変更
【補正の内容】
【００１５】
本発明の情報受信装置、情報受信方法、および第１の提供媒体においては、複数の通信相手の情報が入力され、入力された通信相手との間に、通信路が生成されているか否かが判断され、通信路が生成されていないと判断された通信相手に対して通信路が生成され、生成された通信路を用いてデータの受信が行われ、通信路が生成されていない通信相手に対して通信路の生成が、繰り返し行われる。
【手続補正１２】
【補正対象書類名】明細書
【補正対象項目名】００１６
【補正方法】変更
【補正の内容】
【００１６】
本発明の情報送信装置、情報送信方法、および第２の提供媒体においては、通信相手との間に通信路が存在するか否かが判断され、通信路が存在していないと判断された場合、その通信路が存在していない通信相手に対して通信路が生成され、生成された通信路を用いてデータが送信され、通信路が存在している間、通信路が生成されていない通信相手との通信路の生成が繰り返し行われる。
【手続補正１３】
【補正対象書類名】明細書
【補正対象項目名】００１７
【補正方法】変更
【補正の内容】
【００１７】
本発明の情報送受信装置、情報送受信方法、および第３の提供媒体においては、予め設定された通信相手と通信路が生成され、通信路を用いてデータの送受信が行われ、通信路が存在している間、設定された全ての通信相手との間に通信路が存在しているか否かが繰り返し判断され、通信路が存在していない場合、新たに通信路が生成される。
【手続補正１４】
【補正対象書類名】明細書
【補正対象項目名】００１８
【補正方法】変更
【補正の内容】
【００１８】
本発明の情報受信装置は、複数の通信相手の情報を入力する入力手段（例えば、図３のステップＳ１）と、入力手段により入力された通信相手との間に、通信路が生成されているか否かを判断する判断手段（例えば、図３のステップＳ４）と、判断手段により、通信路が生成されていないと判断された通信相手に対して通信路を生成する生成手段（例えば、図３のステップＳ５）と、通信路を用いてデータの受信を行う受信手段（例えば、図３のステップＳ７）と、判断手段の判断に基づく生成手段による通信路の生成処理を繰り返し行わせる繰り返し手段（例えば、図３のステップＳ２乃至Ｓ７）を備えることを特徴とする。
【手続補正１５】
【補正対象書類名】明細書
【補正対象項目名】００１９
【補正方法】変更
【補正の内容】
【００１９】
本発明の情報送信装置は、予め設定された通信相手に対して通信路を生成する第１の生成手段（例えば、図１２のステップＳ１１）と、通信相手との間に通信路が存在するか否かを判断する判断手段（例えば、図１２のステップＳ１４）と、判断手段により通信路が存在していないと判断された場合、その通信路が存在していない通信相手に対して通信路を生成する第２の生成手段（例えば、図１２のステップＳ１５）と、第１の生成手段または第２の生成手段により生成された通信路を用いてデータを送信する送信手段（例えば、図１２のステップＳ１７）と、判断手段の判断に基づく第２の生成手段による通信路の生成処理が繰り返し行われる繰り返し手段（例えば、図１２のステップＳ１２乃至Ｓ１７）とを備えることを特徴とする。
【手続補正１６】
【補正対象書類名】明細書
【補正対象項目名】００２０
【補正方法】変更
【補正の内容】
【００２０】
本発明の情報送受信装置は、予め設定された通信相手と通信路を生成する第１の生成手段（例えば、図１２のステップＳ１１）と、通信路を用いてデータを送受信する送受信手段（例えば、図１２のステップＳ１７）と、通信路が存在している間、設定された全ての通信相手との間に通信路が存在しているか否かを判断する判断手段（例えば、図１２のステップＳ１４）と、判断手段により通信路が存在していないと判断した場合、新たに通信路を生成する第２の生成手段（例えば、図１２のステップＳ１５）とを備えることを特徴とする。
【手続補正１７】
【補正対象書類名】明細書
【補正対象項目名】０１３９
【補正方法】変更
【補正の内容】
【０１３９】
【発明の効果】
以上の如く本発明の情報受信装置、情報受信方法、および第１の提供媒体によれば、情報が入力された通信相手との間に、通信路が生成されているか否かを判断し、通信路が生成されていないと判断された通信相手に対して通信路を生成する処理を繰り返し行うようにしたので、情報が入力された通信相手とのみ通信路が生成され、かつ、端末数が変化した場合にも、対応して通信路を生成できることが可能となる。
【手続補正１８】
【補正対象書類名】明細書
【補正対象項目名】０１４０
【補正方法】変更
【補正の内容】
【０１４０】
本発明の情報送信装置、情報送信方法、および第２の提供媒体によれば、通信相手との間に通信路が存在していない場合に、その通信路が存在していない通信相手に対して通信路を生成する処理を繰り返し行うようにしたので、情報が入力された通信相手とのみ通信路が生成され、かつ、端末数が変化した場合にも、対応して通信路を生成できることが可能となる。
【手続補正１９】
【補正対象書類名】明細書
【補正対象項目名】０１４１
【補正方法】変更
【補正の内容】
【０１４１】
本発明の情報送受信装置、情報送受信方法、および第３の提供媒体によれば、予め設定された通信相手と通信路が設定された全ての通信相手との間に通信路が存在しているか否かを繰り返し判断し、通信路が存在していない場合に通信路を生成する処理を繰り返し行うようにしたので、情報が入力された通信相手とのみ通信路が生成され、かつ、端末数が変化した場合にも、対応して通信路を生成できることが可能となる。